(57)【要約】【課題】写真やテキストから成るフォトブックをタイムカプセル化して所定期間保管管理し、開封時に最良の方法で出力する技術を提供する。【解決手段】タイムカプセル・フォトブック管理サーバ３は、ユーザ端末９から入力された画像データを元にフォトブックの作成を支援し（ステップ１００）、出来上がったフォトブックをユーザの要求に応じて所定期間フォトブック保管データベース５に保管し、タイムカプセル保管を実現する（ステップ３００）。フォトブック保管データベース５には、音声や映像等のメッセージ情報を付帯データとして保管可能である（ステップ２００）。ユーザが指定した開示開始日になった場合、通知メールをユーザ端末９に送り、ユーザの要求に応じてユーザ端末９にフォトブックを表示する。ユーザの要求がある場合には、フォトブック・データ５２をプリンタに送り、印刷・製本して発送先５５に発送する。【選択図】図１
2014092952.tif 000002
【特許請求の範囲】
【請求項１】
会員登録されたユーザによりユーザ端末から送信された複数の画像データを元に、画像とテキストからなるフォトブックの作成を支援するフォトブック作成手段と、
前記フォトブックのデータを、前記ユーザ端末から指定された所定期間、開示不可能に保管管理するタイムカプセル保管管理手段と、
前記指定された所定期間の満了後、前記フォトブックのデータを開示し、ユーザ端末に送信する開示手段と、
を具備することを特徴とするタイムカプセル・フォトブック管理サーバ。
【請求項２】
前記タイムカプセル保管管理手段は、前記フォトブックのデータとともに、付帯する情報を保管することを特徴とする請求項１に記載のタイムカプセル・フォトブック管理サーバ。
【請求項３】
前記タイムカプセル保管管理手段は、前記ユーザ端末から指定された所定期間に応じた保管料を課金することを特徴とする請求項１または請求項２に記載のタイムカプセル・フォトブック管理サーバ。
【請求項４】
前記タイムカプセル保管管理手段は、所定の間隔で前記ユーザ端末にアクセスし、前記ユーザの会員登録情報の確認・修正を行うことを特徴とする請求項１乃至請求項３のいずれかに記載のタイムカプセル・フォトブック管理サーバ。
【請求項５】
前記タイムカプセル保管管理手段は、前記所定の間隔で前記ユーザ端末にアクセスした際、前記ユーザの要求があった場合に、前記フォトブックを識別可能に前記フォトブックのデータの一部を開示することを特徴とする請求項１乃至請求項４のいずれかに記載のタイムカプセル・フォトブック管理サーバ。
【請求項６】
前記タイムカプセル保管管理手段は、前記ユーザ端末からの要求により保管期間を再設定し、保管期間を延長する場合には、期間に応じた保管料を課金することを特徴とする請求項１乃至請求項５のいずれかに記載のタイムカプセル・フォトブック管理サーバ。
【請求項７】
前記タイムカプセル保管管理手段は、前記指定された所定期間の満了後、前記ユーザ端末からの要求により前記フォトブックのデータを再度、所定期間、開示不可能に保管管理し、期間に応じた保管料を課金することを特徴とする請求項１乃至請求項６のいずれかに記載のタイムカプセル・フォトブック管理サーバ。
【請求項８】
会員登録されたユーザによりユーザ端末から送信された複数の画像データを元に、画像とテキストからなるフォトブックの作成を支援するフォトブック作成ステップと、
前記フォトブックのデータを、前記ユーザ端末から指定された所定期間、開示不可能に保管管理するタイムカプセル保管管理ステップと、
前記指定された所定期間の満了後、前記フォトブックのデータを開示し、ユーザ端末に送信する開示ステップと、
を含むことを特徴とするタイムカプセル・フォトブック管理方法。
【請求項９】
サーバとユーザ端末と印刷装置とがネットワークを介して接続されたタイムカプセル・フォトブック管理システムであって、
サーバは、
会員登録されたユーザによりユーザ端末から送信された複数の画像データを元に、画像とテキストからなるフォトブックの作成を支援するフォトブック作成手段と、
前記フォトブックのデータを、前記ユーザ端末から指定された所定期間、開示不可能に保管管理するタイムカプセル保管管理手段と、
前記指定された所定期間の満了後、前記フォトブックのデータを開示し、ユーザ端末に送信する開示手段と、
を具備することを特徴とするタイムカプセル・フォトブック管理システム。
【請求項１０】
コンピュータに、
会員登録されたユーザによりユーザ端末から送信された複数の画像データを元に、画像とテキストからなるフォトブックの作成を支援するフォトブック作成ステップと、
前記フォトブックのデータを、前記ユーザ端末から指定された所定期間、開示不可能に保管管理するタイムカプセル保管管理ステップと、
前記指定された所定期間の満了後、前記フォトブックのデータを開示し、ユーザ端末に送信する開示ステップと、
を実行させるためのプログラム。
【請求項１１】
コンピュータに、会員登録されたユーザによりユーザ端末から送信された複数の画像データを元に、画像とテキストからなるフォトブックの作成を支援するフォトブック作成ステップと、前記フォトブックのデータを、前記ユーザ端末から指定された所定期間、開示不可能に保管管理するタイムカプセル保管管理ステップと、前記指定された所定期間の満了後、前記フォトブックのデータを開示し、ユーザ端末に送信する開示ステップと、を実行させるためのプログラムを記録したコンピュータが読み取り可能な記録媒体。
【発明の詳細な説明】
【技術分野】
【０００１】
本発明は、フォトブックをタイムカプセル化して管理出力するサーバ等に関するものである。
【背景技術】
【０００２】
近年、ディジタルカメラの低価格化、操作性の向上、高画質化により、アマチュアのカメラマンも容易に高画質なディジタル画像を得ることが可能になり、これに伴い、持ちこまれた複数のディジタル画像からフォトアルバムやフォトブックを作成する装置やシステムが提案され、実用化されている（例えば、特許文献１、特許文献２）。
【０００３】
特許文献１のシステムは、一定期間毎または任意の機会にユーザ端末から送信され逐次格納された画像情報から、ユーザが定めた配送決定条件の元でアルバムを作成し、送付先にアルバムを送付するものである。
特許文献２のシステムは、読み込んだ画像データを、順を追ってページにレイアウトして印刷し、製本するものである。
【先行技術文献】
【特許文献】
【０００４】
【特許文献１】特開２００５−２１６０７３号公報
【特許文献２】特開２０１１−１４８１１８号公報
【発明の概要】
【発明が解決しようとする課題】
【０００５】
しかしながら、特許文献１のシステムは、一定期間または任意の機会にシステムに格納されている写真の画像情報から、ユーザが予め定めた編集方法でアルバムを略自動的に作成し、ユーザが予め定めた送付先に送付するものであり、アルバム・データを長期間保管する機能は持たない。
【０００６】
また、特許文献２のシステムは、ユーザが持参した記録媒体に格納されている画像データを読み込み、フォトブックを印刷、製本するシステムであり、これも、フォトブックのデータを長期間保管する機能は持たない。
【０００７】
本発明は、前述した問題点に鑑みてなされたもので、写真やテキストから成るフォトブックをタイムカプセル化して長期間保管管理し、タイムカプセル開封時に最良の方法で出力可能なタイムカプセル・フォトブック管理サーバ等を提供することを目的とする。
【課題を解決するための手段】
【０００８】
前述した目的を達成するために、第１の発明は、会員登録されたユーザによりユーザ端末から送信された複数の画像データを元に、画像とテキストからなるフォトブックの作成を支援するフォトブック作成手段と、前記フォトブックのデータを、前記ユーザ端末から指定された所定期間、開示不可能に保管管理するタイムカプセル保管管理手段と、前記指定された所定期間の満了後、前記フォトブックのデータを開示し、ユーザ端末に送信する開示手段と、を具備することを特徴とするタイムカプセル・フォトブック管理サーバである。
【０００９】
第１の発明によれば、タイムカプセル・フォトブック管理サーバのフォトブック作成手段により、ユーザは画像とテキストからなるフォトブックを作成することができ、タイムカプセル保管管理手段により、長期間、フォトブックを保管して、期間満了後には開示手段によりフォトブック・データを見ることが可能になる。
【００１０】
これにより、大切な思い出であるフォトブックのデータを自宅ではなく、タイムカプセル・フォトブック管理サーバで保管することが可能であり、アルバムや本、ＤＶＤ等の媒体として自宅で保管するよりも安全、かつ、劣化することなく保持することが可能である。
【００１１】
また、タイムカプセル保管管理手段により所定期間の期間満了後のみ開示可能にすることにより、タイムカプセル化したフォトブックを記念日等の楽しみに使用したり、プレゼントとして活用することが可能になる。
また、長期保管しておいたフォトブックのデータを、長期保管後の時点の最新技術でフォトブックとして作成することが可能であり、タイムカプセル開示時には、より高品質のフォトブックを得ることが可能になる。
【００１２】
前記タイムカプセル保管管理手段は、前記フォトブックのデータとともに、付帯する情報を保管することが望ましい。これにより文書や音声、映像、音楽等の情報をフォトブックに加えて保管して、保管期間の満了後、それらの付帯情報も楽しむことが可能になる。
【００１３】
前記タイムカプセル保管管理手段は、前記ユーザ端末から指定された所定期間に応じた保管料を課金することが望ましい。タイムカプセル・フォトブック管理サーバ側では、フォトブックのデータの保管料を得ることが可能になる。
【００１４】
前記タイムカプセル保管管理手段は、所定の間隔で前記ユーザ端末にアクセスし、前記ユーザの会員登録情報の確認・修正を行うことが望ましい。
長期間フォトブック・データを保管するので、ユーザの会員情報が変化する可能性があり、この処理により、会員情報の変更に対応することが可能になる。
【００１５】
前記タイムカプセル保管管理手段は、前記所定の間隔で前記ユーザ端末にアクセスした際、前記ユーザの要求があった場合に、前記フォトブックを識別可能に前記フォトブックのデータの一部を開示することが望ましい。
複数のフォトブックを作成しているユーザでは、どのフォトブックなのか思い出せない場合もあることから、どのフォトブックのデータの一部、例えば、表紙、奥付を開示することにより、フォトブックの識別が可能になる。
【００１６】
前記タイムカプセル保管管理手段は、前記ユーザ端末からの要求により保管期間を再設定し、保管期間を延長する場合には、期間に応じた保管料を課金するようにしてもよい。これにより、タイムカプセルの開示時期を変更でき、タイムカプセル・フォトブック管理サーバ側では、期間に応じた保管料を得ることが可能になる。
【００１７】
前記タイムカプセル保管管理手段は、前記指定された所定期間の満了後、前記ユーザ端末からの要求により前記フォトブックのデータを再度、所定期間、開示不可能に保管管理し、期間に応じた保管料を課金するようにしてもよい。これにより、フォトブックのデータを更に長期に、自宅ではなく、タイムカプセル・フォトブック管理サーバで保管することが可能であり、安全、かつ、劣化することなく保持することが可能である。
【００１８】
第２の発明は、会員登録されたユーザによりユーザ端末から送信された複数の画像データを元に、画像とテキストからなるフォトブックの作成を支援するフォトブック作成ステップと、前記フォトブックのデータを、前記ユーザ端末から指定された所定期間、開示不可能に保管管理するタイムカプセル保管管理ステップと、前記指定された所定期間の満了後、前記フォトブックのデータを開示し、ユーザ端末に送信する開示ステップと、を含むことを特徴とするタイムカプセル・フォトブック管理方法である。
【００１９】
第３の発明は、サーバとユーザ端末と印刷装置とがネットワークを介して接続されたタイムカプセル保管出力システムであって、サーバは、会員登録されたユーザによりユーザ端末から送信された複数の画像データを元に、画像とテキストからなるフォトブックの作成を支援するフォトブック作成手段と、前記フォトブックのデータを、前記ユーザ端末から指定された所定期間、開示不可能に保管管理するタイムカプセル保管管理手段と、前記指定された所定期間の満了後、前記フォトブックのデータを開示し、ユーザ端末に送信する開示手段と、を具備することを特徴とするタイムカプセル・フォトブック管理システムである。
【００２０】
第４の発明は、コンピュータに、会員登録されたユーザによりユーザ端末から送信された複数の画像データを元に、画像とテキストからなるフォトブックの作成を支援するフォトブック作成ステップと、前記フォトブックのデータを、前記ユーザ端末から指定された所定期間、開示不可能に保管管理するタイムカプセル保管管理ステップと、前記指定された所定期間の満了後、前記フォトブックのデータを開示し、ユーザ端末に送信する開示ステップと、を実行させるためのプログラムである。
【００２１】
第５の発明は、コンピュータに、会員登録されたユーザによりユーザ端末から送信された複数の画像データを元に、画像とテキストからなるフォトブックの作成を支援するフォトブック作成ステップと、前記フォトブックのデータを、前記ユーザ端末から指定された所定期間、開示不可能に保管管理するタイムカプセル保管管理ステップと、前記指定された所定期間の満了後、前記フォトブックのデータを開示し、ユーザ端末に送信する開示ステップと、を実行させるためのプログラムを記録したコンピュータが読み取り可能な記録媒体である。
【発明の効果】
【００２２】
本発明により、写真やテキストから成るフォトブックをタイムカプセル化して長期間保管管理し、所定期間経過後のタイムカプセル開封時に最良の方法でフォトブックを出力可能なタイムカプセル・フォトブック管理サーバ等を提供することができる。
【図面の簡単な説明】
【００２３】
【図１】本発明の実施形態に係るタイムカプセル・フォトブック・システム１の構成例を示すブロック図
【図２】タイムカプセル・フォトブック管理サーバ３およびユーザ端末９のハードウエア構成例を示すブロック図
【図３】タイムカプセル・フォトブック管理サーバ３の処理の流れを示すフローチャート
【図４】フォトブック作成処理（Ｓ１００）の処理の流れを示すフローチャート
【図５】タイムカプセル・フォトブック・システム１のデータ構成例を示す図
【図６】タイムカプセル化処理（Ｓ２００）の処理の流れを示すフローチャート
【図７】タイムカプセル保管管理処理（Ｓ３００）の処理の流れを示すフローチャート
【図８】タイムカプセル開示処理（Ｓ４００）の処理の流れを示すフローチャート
【図９】ユーザ端末９の表示画面例を示す図（１）
【図１０】ユーザ端末９の表示画面例を示す図（２）
【図１１】ユーザ端末９の表示画面例を示す図（３）
【発明を実施するための形態】
【００２４】
以下、添付図面に基づいて、本発明に係るタイムカプセル・フォトブック・システム１等の好適な実施形態について詳細に説明する。尚、以下の説明及び添付図面において、略同一の機能構成を有する構成要素については、同一の符号を付することにより重複説明を省略することにする。
【００２５】
図１は、タイムカプセル・フォトブック・システム１の構成例を示すブロック図である。
タイムカプセル・フォトブック・システム１は、例えば、タイムカプセル・フォトブック管理サーバ３、プリンタ７、ユーザ端末９がネットワーク１１を介して接続された構成である。タイムカプセル・フォトブック管理サーバ３には、作成されたフォトブックのデータ等の保管を行うフォトブック保管データベース５が接続されている。
【００２６】
タイムカプセル・フォトブック管理サーバ３は、まず、ユーザ端末９から写真等の画像データを得て、フォトブック保管データベース５に格納したうえで、フォトブックの作成支援処理を行い、ユーザは、ユーザ端末９によって、ユーザが作成したいフォトブックを編集する。
さらに、タイムカプセル・フォトブック管理サーバ３は、作成されたフォトブックをフォトブック保管データベース５に保管し、ユーザが指定した保管期間に従って、タイムカプセルとして長期保管し、保管期間満了時には、保管されていたフォトブックをユーザ端末９に開示するととともに、ユーザの要求に従って、プリンタ７にフォトブックの印刷を実行させ、作成されたフォトブックをユーザに発送する。
【００２７】
図２は、タイムカプセル・フォトブック管理サーバ３のハードウエア構成例を示す図である。タイムカプセル・フォトブック管理サーバ３は、制御部３１、記憶部３２、メディア入出力部３３、通信制御部３４、入力部３５、表示部３６、周辺機器Ｉ／Ｆ部３７等がバス３８を介して接続された構成である。
【００２８】
制御部３１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
ＣＰＵは、ＲＯＭ、記憶部３２等に格納されるプログラムをＲＡＭ上のワークメモリ領域に呼び出して実行し、バス３８を介して接続された各装置を駆動制御し、コンピュータが行う処理を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部３２、ＲＯＭ、記憶媒体等からロードしたプログラム、データ等を一時的に保持するとともに、制御部３１が各種処理を行うために使用するワークエリアを備える。
【００２９】
記憶部３２は、ＨＤＤ（ハードディスクドライブ）であり、制御部３１が実行するプログラム、プログラム実行に必要なデータ、ＯＳ（Ｏｐｅｒａｔｉｎｇ  Ｓｙｓｔｅｍ）等が格納される。プログラムに関しては、ＯＳに相当する制御プログラムや、アプリケーション・プログラム、ファイル等が格納されている。
これらの各プログラムコードは、制御部３１により必要に応じて読み出されてＲＡＭに移され、ＣＰＵにより各種の手段として実行される。
記憶部３２には、本発明の本実施形態に係るタイムカプセル・フォトブック・システム１のプログラムや各種のデータが格納されており、必要に応じて制御部３１に読み出されて実行される。
【００３０】
メディア入出力部３３は、記録媒体のデータの入出力を行うドライブ装置であり、例えば、フロッピー（登録商標）ディスクドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置を有する。
通信制御部３４は、通信制御装置、通信ポート等を有し、ネットワーク１１を介した通信を媒介する通信インタフェースであり、他のコンピュータ間との通信制御を行う。
【００３１】
入力部３５は、データの入力を行い、例えば、キーボード、マウス等のポインティングデバイス、テンキー等の入力装置を有する。入力部３５を介して、コンピュータに対して、操作指示、動作指示、データ入力等を行うことができる。
表示部３６は、ＣＲＴ（Ｃａｔｈｏｄｅ  Ｒａｙ  Ｔｕｂｅ）モニタ、液晶パネル等のディスプレイ装置、ディスプレイ装置と連携してビデオ機能を実現するための論理回路等（ビデオアダプタ等）を有する。
【００３２】
周辺機器Ｉ／Ｆ部３７は、周辺機器を接続するためのＵＳＢ（Ｕｎｉｖｅｒｓａｌ  Ｓｅｒｉａｌ  Ｂｕｓ）ポート等である。
バス３８は、各装置間の制御信号、データ信号等の授受を媒介する経路である。
【００３３】
ユーザ端末９のハードウエア構成は、タイムカプセル・フォトブック管理サーバ３と同様であるので、説明を省略する。ユーザ端末９は、例えば、パーソナルコンピュータ等のコンピュータである。
【００３４】
図３は、タイムカプセル・フォトブック管理サーバ３の処理の流れを示すフローチャートである。
タイムカプセル・フォトブック管理サーバ３の制御部３１は、まず、フォトブック作成処理を実行する（ステップ１００）。この処理は、ユーザ端末９から送信される画像データを元に、ユーザによるフォトブック作成を支援し、フォトブックを完成させる。完成したフォトブックのデータはフォトブック保管データベース５に格納される。詳細は後述する。
【００３５】
次に、タイムカプセル・フォトブック管理サーバ３の制御部３１は、完成したフォトブックをタイムカプセル化する処理を実行する（ステップ２００）。この処理は、ユーザ端末９からのユーザの指定により、フォトブックを長期保管するための処理を行う。フォトブックに付帯させるメッセージの文章、音声や映像等の情報もユーザ端末９から受信し、フォトブックとともにフォトブック保管データベース５に格納する。また、保管料の課金も行う。詳細は後述する。
【００３６】
次に、タイムカプセル・フォトブック管理サーバ３の制御部３１は、フォトブック保管データベース５にタイムカプセルとして長期保管されたフォトブック等の保管管理処理を行う（ステップ３００）。
保管が長期間に及ぶので、その間のユーザの登録情報の確認処理や修正処理等を行う。詳細は後述する。
【００３７】
最後に、タイムカプセル・フォトブック管理サーバ３の制御部３１は、指定された保管期間が満了した後、タイムカプセルとしてフォトブック保管データベース５に保管されていたフォトブックおよび付帯した情報をユーザ端末９に開示するタイムカプセル開示処理を実行する（ステップ４００）。
この処理では、ユーザ端末９へのフォトブックの開示に加えて、ユーザの要求に従って、フォトブックをプリンタ７によって印刷し、ユーザに発送する処理も行う。詳細は後述する。
【００３８】
まず、フォトブック作成処理（Ｓ１００）について説明する。
図４は、フォトブック作成処理（Ｓ１００）の処理の流れを示すフローチャートである。
まず、ユーザがユーザ端末９からタイムカプセル・フォトブック管理サーバ３にアクセスする（ステップ１０１）。タイムカプセル・フォトブック管理サーバ３は、フォトブック作成処理（Ｓ１００）を起動し、会員登録処理を実行する（ステップ１０２）。すなわち、ユーザ端末９に会員登録処理のための画面を表示させ、ユーザに会員登録を実行させる。既に会員である場合には、ログインさせるようにすればよい。
【００３９】
図５は、タイムカプセル・フォトブック・システム１のデータ構成例を示す図である。図５（ａ）は、会員データベース４のデータ構成例を示している。
ステップ１０２、１０３の処理により、会員登録情報がタイムカプセル・フォトブック管理サーバ３の記憶部３２に設けられた会員データベース４に格納される。
図５（ａ）に示すように、会員登録情報は、例えば、会員に一意に付与される会員Ｎｏ．４１、ユーザの指定によるユーザ名４２及びパスワード４３、ユーザのメールアドレス４４等で構成される。
【００４０】
会員登録後、タイムカプセル・フォトブック管理サーバ３は、ユーザ端末９から画像をアップロードさせ（ステップ１０４）、画像データを記憶部３２に格納する（ステップ１０５）。
【００４１】
図５（ｂ）は、記憶部３２に格納された画像データ６のデータ構成例である。
画像データ６は、会員登録情報の会員Ｎｏ．４１と、画像を識別するための画像Ｎｏ．６２、及び、画像データ６３で構成される。画像データ６３は、原画像のデータに加えてサムネイル画像のデータを格納するようにしてもよい。
画像データ６３は、所定の期間、アクセスされない場合は消去される。
【００４２】
次に、タイムカプセル・フォトブック管理サーバ３は、作成するフォトブックのサイズやデザインを選択させる（ステップ１０６）。フォトブックの大きさ（Ａ５判、Ａ６判）やページ数、製本の種類（ソフトカバー、ハードカバー）等であり、ユーザ端末９に種類を表示してユーザに選択させる。
ユーザは、ユーザ端末９によりフォトブックのサイズ及びデザインを指定する（ステップ１０７）。
【００４３】
次に、ユーザは、ユーザ端末９により指定したフォトブックのサイズ及びデザインに基づいてフォトブックのレイアウト編集作業を行う（ステップ１０８）。この際、タイムカプセル・フォトブック管理サーバ３は、レイアウト編集作業を支援する処理を行う（ステップ１０９）。
【００４４】
すなわち、タイムカプセル・フォトブック管理サーバ３は、画像データ６に格納されているユーザの画像を選択可能にユーザ端末９に表示させるとともに、画像の配置や拡大縮小等の画像編集、テキスト編集、表紙や奥付ページの編集等を支援する。
【００４５】
ユーザがユーザ端末から編集の完了を指定すると（ステップ１１０のＹｅｓ）、タイムカプセル・フォトブック管理サーバ３は、レイアウト編集作業が完了したフォトブック・データを記憶部３２のフォトブック保管データベース５に格納する（ステップ１１１）。
【００４６】
図５（ｃ）は、フォトブック保管データベース５のデータ構成例を示す図である。
フォトブック保管データベース５は、会員Ｎｏ．４１、フォトブックＮｏ．５１、フォトブック・データ５２、作成日５３等で構成される。図５（ｃ）に示したそれ以外の項目については後述する。
フォトブック・データ５２は、作成されたフォトブックのサイズ及びデザインの情報と、各ページのレイアウト情報等から成る。
作成日５３は、フォトブックのレイアウト編集作業を完了した日である。
【００４７】
次に、タイムカプセル・フォトブック管理サーバ３は、フォトブックの注文処理を実行する（ステップ１１２）。
すなわち、ユーザ端末９に、注文部数や配送先、代金、支払い方法等を表示させる。
ユーザは、ユーザ端末９により、注文部数や発送先、支払い方法を入力し、フォトブック注文を行う（ステップ１１３）。支払い方法は、クレジットカード支払い、プリペイドマネー支払い、代引等から指定させるようにすればよい。
【００４８】
タイムカプセル・フォトブック管理サーバ３は、注文処理により指定された注文部数や発送先等の情報を、フォトブック保管データベース５に格納する（図５（ｃ）の「注文部数」５４及び「発送先」５５の項目）。
以上のステップ１０１〜１１３の処理により、フォトブックの作成が完了し、作成されたフォトブックのデータがフォトブック保管データベース５に保管される。
【００４９】
次にタイムカプセル化処理（Ｓ２００）について説明する。
図６は、タイムカプセル化処理（Ｓ２００）の処理の流れを示すフローチャートである。
【００５０】
タイムカプセル・フォトブック管理サーバ３は、まず、タイムカプセル化、すなわち、長期保管を行うか否かをユーザに問い合わせる（ステップ２０１）。
すなわち、タイムカプセル化を行うか否かを選択される画面をユーザ端末９に表示させ、ユーザに選択させる。
【００５１】
図９〜図１１は、ユーザ端末９に表示させる画面の例を示す図である。
図９（ａ）は、フォトブック保管注文画面７１の例を示す図である。
フォトブックをタイムカプセル化するか否かを「はい」ボタン７１１及び「いいえ」ボタン７１３で選択させる。
タイムカプセル・フォトブック管理サーバ３は、当該フォトブックをタイムカプセル化するか否かの情報（Ｙｅｓ／Ｎｏ）をフォトブック保管データベース５に格納する（図５（ｃ）の「タイムカプセル化」５６の項目）
【００５２】
タイムカプセル化する場合には、保管年数等を指定させる（ステップ２０３）。
図９（ｂ）は、保管期間設定画面７２の例を示す図である。
保管年数７２１およびタイムカプセルの開示開始日７２３を選択可能に指定させる。
ユーザが保管年数７２１及び開示開始日７２３を指定し、「次へ」ボタン７２５を押す（ステップ２０４）と、タイムカプセル・フォトブック管理サーバ３は、指定された保管年数７２１および開示開始日７２３をフォトブック保管データベース５に格納する（図５（ｃ）の「保管年数ｎ」５７及び「開示開始日」５８の項目）。
【００５３】
次に、タイムカプセル・フォトブック管理サーバ３は、フォトブックとともにタイムカプセルに入れるメッセージ等の付帯データを設定させる（ステップ２０５）。
付帯データとは、例えば、フォトブックを開示する際に送るメッセージの文書や音声、フォトブック作成時の音声や動画、音楽等である。例えば、赤ちゃんの写真を成人式までタイムカプセルとして保管し、贈ることを意図したフォトブックであれば、成人へのはなむけの言葉や、赤ちゃんの声等を付帯データとしてもよい。
【００５４】
図９（ｃ）は、付帯データ設定画面７３の例を示す図である。
音声や動画等の付帯データのファイルを「ファイルの指定」ボタン７３１を押して、選択することにより、付帯データのファイルがユーザ端末９からタイムカプセル・フォトブック管理サーバ３にアップロードされる（ステップ２０６）。
タイムカプセル・フォトブック管理サーバ３は、ユーザ端末９から送信された付帯データのファイルをフォトブック保管データベース５に付帯データ５９として格納する（ステップ２０７）。
【００５５】
次に、タイムカプセル・フォトブック管理サーバ３は、フォトブックのタイムカプセル化に対する課金処理を実行する（ステップ２０８）。料金は保管年数５７により決定される。
すなわち、タイムカプセル・フォトブック管理サーバ３は、課金処理画面７４をユーザ端末９に表示させる。
【００５６】
図１０（ａ）は、課金処理画面７４の例である。
料金と、支払い方法等が表示され、ユーザは、支払い方法を指定して、「次へ」ボタン７４１を押し、支払いを行う（ステップ２０９）。支払い方法は、クレジットカード決済、プリペイド電子マネー決済等から選択可能にすればよい。
【００５７】
タイムカプセル・フォトブック管理サーバ３は、ステップ２０９の支払い処理の完了後、及び、ステップ２０２でタイムカプセル化を指定しない場合（ステップ２０２のＮｏ）、次に、フォトブック作成処理（Ｓ１００）のフォトブック注文処理（ステップ１１２、１１３）で指定したフォトブックの印刷処理を行う（ステップ２１０）。
すなわち、タイムカプセル・フォトブック管理サーバ３は、フォトブック保管データベース５に保管されているフォトブック・データ５２、及び、注文部数５４、発送先５５等のデータをプリンタ７に送り、フォトブックを印刷・製本させる。作成されたフォトブックは、フォトブック保管データベースの発送先５５の項目から読み出された発送先に送付する。
【００５８】
尚、フォトブックの印刷・発送処理（ステップ２１０）後、フォトブック保管データベース５のタイムカプセル化５６のデータが「Ｎｏ」の場合には、フォトブック作成日５３から所定期間（例えば、３ヶ月）経過した後、当該フォトブックに関するデータをフォトブック保管データベース５から消去する処理を実行する（ステップ２１１）。
以上の処理により、タイムカプセル化処理（Ｓ２００）が完了する。
【００５９】
次に、タイムカプセル保管管理処理（Ｓ３００）について説明する。
図７は、タイムカプセル保管管理処理（Ｓ３００）の処理の流れを示すフローチャートである。
タイムカプセルの保管は長期に渡るため、ユーザがその存在を失念してしまう可能性もあるし、ユーザの会員登録情報が変わっている場合もありうる。また、保管期間を変更したい場合もありうる。
タイムカプセル保管管理処理（Ｓ３００）は、それらの場合を考慮して、例えば、年１度、ユーザにアクセスして、会員登録情報等の確認修正作業を行うものである。
また、タイムカプセルの開示開始日の所定期間（例えば、３ヶ月）前にも同様の確認修正作業を行うとよい。
【００６０】
タイムカプセル・フォトブック管理サーバ３は、まず、フォトブック保管データベース５の作成日５３と開示開始日５８を参照し、作業日が、作成日５３からｘ年後の日であるか、または、開示開始日５８から所定期間（例えば、３ヶ月）前の日であるか否かを判定する（ステップ３０１）。ここで、ｘ＜ｎ（ｎ：保管年数５７）とする。すなわち、保管年数ｎが１０年の場合には、作成日５３から１〜９年後の日に以下の処理を行う。
作業日が作成日５３からｘ年後の日でも、開示開始日５８から所定期間前の日でもない場合は（ステップ３０１のＮｏ）、ステップ３０１の処理を繰り返す。
【００６１】
作業日が作成日５３からｘ年後の日、又は、開示開始日５８から所定期間前の日の場合（ステップ３０１のＹｅｓ）、タイムカプセル・フォトブック管理サーバ３は、フォトブック保管データベース５の会員Ｎｏ．４１を参照し、会員データベース４の当該会員のメールアドレス４４を検索し、当該メールアドレス４４に対して、登録情報の修正の有無を問い合わせるメールを送信する（ステップ３０２）。
【００６２】
図１０（ｂ）は、登録情報確認メールの画面７５の例を示す図である。
登録情報確認メールの画面７５は、フォトブックをタイムカプセルに入れてからの年数と、登録情報を確認してもらうための「登録情報確認」ボタン７５１等よりなる。
ユーザが「登録情報確認」ボタン７５１を押下すると、タイムカプセル・フォトブック管理サーバ３の登録情報確認処理にアクセスできるようにしておけばよい。
【００６３】
ユーザが「登録情報確認」ボタン７５１を押下すると、ユーザ端末９はタイムカプセル・フォトブック管理サーバ３の登録情報確認処理にアクセスし、タイムカプセル・フォトブック管理サーバ３は、当該ユーザの会員登録情報をユーザ端末に表示させるとともに、修正の有無を問い合わせる。
ユーザは、修正がある場合には、「修正あり」を選択し（ステップ３０３のＹｅｓ）、登録情報を修正する（ステップ３０４）。
タイムカプセル・フォトブック管理サーバ３は、修正された登録情報を会員データベース４に格納する（ステップ３０５）。
【００６４】
ステップ３０５の後、または、修正がない場合（ステップ３０３のＮｏ）、タイムカプセル・フォトブック管理サーバ３は、タイムカプセルの一部開示をユーザが希望するか否かを問い合わせる（ステップ３０６）。
すなわち、タイムカプセル・フォトブック管理サーバ３は、図１０（ｃ）に示すような一部開示要求画面７６をユーザ端末９に表示させる。
【００６５】
これは、ユーザがタイムカプセル保管されているフォトブックの存在や内容を忘れてしまっている場合や、ユーザが複数のフォトブックをタイムカプセル保管している場合を考慮した処理であり、保管してあるフォトブックを思い出す、あるいは、識別できる最小限のデータを開示するものである。
【００６６】
ユーザは、一部開示を希望する場合は「はい」ボタン７６１を、希望しない場合は「いいえ」ボタン７６３を押下すればよい。
ユーザが一部開示を希望した場合（ステップ３０７のＹｅｓ）、タイムカプセル・フォトブック管理サーバ３は、フォトブック保管データベース５を参照して当該フォトブック・データ５２を読み出し、例えば、表紙のデータ等の１ページ分だけをユーザ端末９に表示させる（ステップ３０８、ステップ３０９）。
図１０（ｄ）は、一部開示画面７７の例を示す図である。
図１０（ｄ）に示すように、例えば表紙や、奥付等の１ページを表示するようにすればよい。
【００６７】
ステップ３０８後、および、ユーザが一部開示を希望しない場合（ステップ３０７のＮｏ）、開示開始日５８から所定期間前の登録情報確認処理を終了したのか否かを判定する（ステップ３１０）。
ステップ３１０がＮｏの場合は、作成日５３の１〜ｎ−１年後の日の処理を行ったことを示し、ステップ３０１に戻り、ステップ３０１〜ステップ３１０の処理を繰り返す。
ステップ３１０がＹｅｓの場合は、タイムカプセル保管管理処理（ステップ３００）の処理を終了する。
【００６８】
上記のタイムカプセル保管管理処理（ステップ３００）に、開示開始日５８の変更要求を問い合わせる処理を加えてもよい。タイムカプセル・フォトブック管理サーバ３は、開示開始日５８の変更要求をユーザ端末９に問い合わせ、ユーザが開示開始日５８を変更したい場合には、ユーザ端末９から新たな開示開始日５８を入力させ、新たな開示開始日５８をフォトブック保管データベース５に格納するとともに、変更により保管期間が延長された場合には、延長期間に応じた課金処理を行う。
【００６９】
次に、タイムカプセル開示処理（Ｓ４００）について説明する。
図８は、タイムカプセル開示処理（Ｓ４００）の処理の流れを示すフローチャートである。
まず、タイムカプセル・フォトブック管理サーバ３は、フォトブック保管データベース５の開示開始日５８を参照し、開示開始日５８か否かを判定する（ステップ４０１）。開示開始日５８でない場合（ステップ４０１のＮｏ）にはＳ４０１の処理を繰り返す。
【００７０】
開示開始日５８の場合には、タイムカプセル・フォトブック管理サーバ３は、開示開始日５８であることをユーザ端末９に通知する（ステップ４０２）。すなわち、当該フォトブックのフォトブック保管データベース５の会員Ｎｏ．４１を参照し、会員データベース４の当該会員のメールアドレスを検索し、当該メールアドレスに開示開始日であることを示すメールを送信すればよい。
図１１（ａ）は、開示開始日通知メール画面７８の例を示す図である。
開示開始日である旨と、開示したい場合にアクセスすべきＵＲＬを表示するようにすればよい。
【００７１】
ユーザが開示開始日通知メール画面７８のＵＲＬにアクセスし、開示を要求すると（ステップ４０３）、タイムカプセル・フォトブック管理サーバ３は、タイムカプセル・オープン処理を実行する（ステップ４０４）。
すなわち、フォトブック保管データベース５から、フォトブック・データ５２および付帯データ５９を取り出し、ユーザ端末９に送信し、フォトブックをユーザ端末９に表示させるとともに、付帯データ５９である文書や音声、動画等の情報を再生可能にする。
【００７２】
ユーザは、ユーザ端末９上で、フォトブックを見ることが可能であり、また、付帯された情報を再生することが可能である（ステップ４０５）。
図１１（ｂ）、（ｃ）、（ｄ）は、タイムカプセル開示画面７９、８０、８１の例を示す図である。
図１１（ｂ）は、タイムカプセル開示画面（１）７９の例を示す図であり、フォトブックの表示やメッセージ情報の再生の前に、タイムカプセルを掘り出すゲームをユーザに行わせるものである。
長期間保管してあったフォトブック等を、取り出す際のゲーム性を付加することが可能である。
【００７３】
図１１（ｃ）は、タイムカプセル開示画面（２）８０の例を示す図であり、タイムカプセルにフォトブックとともに入れられたもののファイル名が選択可能に表示される。
例えば、音声（「２０歳の君へ」）や文書（「君への手紙」）、動画（「Ｂａｂｙ  ｍｏｖｉｅ」）、音楽（「Ｍｕｓｉｃ」）等の情報がフォトブック（「フォトブック」）とともに表示される。
【００７４】
例えば、「２０歳の君へ」という音声メッセージファイルを開く場合には、再生ボタン８０１を選択すればよい。同様に、「君への手紙」の文書を開く場合には「ｏｐｅｎ」ボタン８０２、「Ｂａｂｙ  ｍｏｖｉｅ」の動画を開く場合には再生ボタン８０３、「Ｍｕｓｉｃ」の音楽ファイルを開く場合には再生ボタン８０４を選択すればよい。
【００７５】
また、「ｏｐｅｎ」ボタン８０５を選択すると、フォトブックが開示される。
図１１（ｄ）は、タイムカプセル開示画面（３）８１の例を示す図であり、フォトブック・データ５２が１ページずつあるいは見開きで表示される。「次ページ」ボタンを押下することにより、次のページを表示することが可能である。
以上の処理（ステップ４０４、４０５）により、ユーザ端末９上でタイムカプセルを開示する処理が行なわれる。
【００７６】
次に、タイムカプセル・フォトブック管理サーバ３は、開示されたフォトブックを実際の本として印刷製本したり、ＤＶＤ等に焼く希望があるか問い合わせる（ステップ４０６）。
ユーザによる希望がある場合（ステップ４０７のＹｅｓ）、タイムカプセル・フォトブック管理サーバ３は、注文処理および課金処理を実行する（ステップ４０８）。
すなわち、フォトブックやＤＶＤ等の記録媒体の注文部数や発送先をユーザにユーザ端末９から指定させ、注文部数に応じた料金を課金し、ユーザに支払い方法を指定させる（ステップ４０９）。
【００７７】
注文部数および発送先の情報は、フォトブック保管データベース５の注文部数５４および発送先５５の項目に格納する。
支払い方法は、クレジットカード支払いや、プリペイド電子マネー支払い、代引き等から選択させるようにすればよい。
【００７８】
ユーザ端末９からの注文および支払い方法を指定する処理（ステップ４０９）が完了すると、タイムカプセル・フォトブック管理サーバ３は、フォトブック保管データベース５からフォトブック・データ５２を取り出し、プリンタ７に送り、印刷・製本する。ＤＶＤ等の記録媒体へ焼き付ける場合は焼き付け装置にフォトブック・データ５２を送り焼きつける。作成されたフォトブックまたはＤＶＤ等は、フォトブック保管データベースの発送先５５の項目から読み出された発送先に送付する。
【００７９】
タイムカプセル開示後のフォトブックの印刷では、プリンタ等の品質が向上している可能性があり、最新の印刷技術でフォトブックを印刷することが可能である。また、ＤＶＤ等の記録媒体も、タイムカプセル開示時点で技術革新が起きている可能性があり、最新の記録媒体に焼きつけることが可能である。
【００８０】
フォトブックの印刷、ＤＶＤ等の記録媒体の作製終了後（ステップ４１０の後）、または、フォトブックの印刷や記録媒体への焼き付けの希望がない場合（ステップ４０７のＮｏ）、タイムカプセルを開示してから所定期間が経過したか否かを判定し（ステップ４１１）、所定期間が経過した場合（ステップ４１１のＹｅｓ）には、フォトブック保管データベース５に格納されている当該フォトブックに関する情報を消去して（ステップ４１２）、タイムカプセル開示処理（ステップ４００）を終了する。
【００８１】
以上に説明した本実施形態のタイムカプセル・フォトブック・システム１により、フォトブックを長期間保管することが可能になり、また、開示開始日までは開示しないタイムカプセルと同様の保管が可能になる。
また、フォトブックのデータをタイムカプセル・フォトブック管理サーバ３のフォトブック保管データベース５に保管することにより、自宅でフォトブックを保管するよりも安全かつ劣化することなく保管することが可能になる。
【００８２】
さらに、タイムカプセル保管したフォトブックを開示する場合には、開示時点での最新技術でフォトブックを作成可能であり、品質の良いフォトブックを得ることが可能になる。
長期間タイムカプセル保管したフォトブックをプレゼントとして発送することにより、記念日等の楽しみを増すことが可能である。
また、フォトブックに加えて、音声や映像等の付帯データを保管可能であり、記念の贈答品等に最適である。
【００８３】
上記のタイムカプセル開示処理Ｓ４００では、フォトブック印刷後、所定期間が経過した後フォトブックのデータを消去（ステップ４１２）したが、開示後、もう一度同じフォトブックをタイムカプセル保管するか否かをユーザに問い合わせて、更に長期保管できるようにしてもよい。この場合は、保管期間に応じて再度課金処理を行うようにすればよい。
【００８４】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００８５】
１………タイムカプセル・フォトブック・システム
３………タイムカプセル・フォトブック管理サーバ
４………会員データベース
５………フォトブック保管データベース
６………画像データ
７………プリンタ
９………ユーザ端末
１１………ネットワーク
【図１】
2014092952.tif 000003
【図２】
2014092952.tif 000004
【図３】
2014092952.tif 000005
【図４】
2014092952.tif 000006
【図５】
2014092952.tif 000007
【図６】
2014092952.tif 000008
【図７】
2014092952.tif 000009
【図８】
2014092952.tif 000010
【図９】
2014092952.tif 000011
【図１０】
2014092952.tif 000012
【図１１】
2014092952.tif 000013